(57)【要約】      （修正有）【課題】簡単な構造で耐久性に優れ、且つフックの高さ調整が容易に行える展示物吊下げ具を安価に提供する。【解決手段】展示物吊下げ具１を、ホルダ本体の下部に展示物吊下げ用のフック３ｂを連設したホルダ３と、ホルダ本体に上下方向へ貫通して設けた係止孔５の内部に係止される係止環４と、ホルダ本体の係止孔５に上方より差し込まれ、さらに係止環４の内部に上下方向へ貫通して設けた挿通孔６に上方より挿通し、該挿通孔６から下方へ引き出して係止孔５の内部を上方へ折り返され、さらに係止孔５からホルダ本体の上方へ引き出される索条２とで構成する。係止孔５を上窄まりの錐形に形成する。【選択図】図１
2011115421.tif 000002
【特許請求の範囲】
【請求項１】
ホルダ本体の下部に展示物吊下げ用のフックを連設したホルダと、
前記ホルダ本体に上下方向へ貫通して設けた係止孔の内部に係止される係止環と、
前記ホルダ本体の係止孔に上方より差し込まれ、さらに前記係止環の内部に上下方向へ貫通して設けた挿通孔に上方より挿通し、該挿通孔から下方へ引き出して前記係止孔の内部を上方へ折り返され、さらに該係止孔から前記ホルダ本体の上方へ引き出される索条とを備えるとともに、
前記係止孔を上窄まりの錐形に形成した
ことを特徴としている。
【請求項２】
前記係止孔の上部開口を、前記索条２本分の挿通を許容する大きさで形成し、前記係止孔の下部開口を、前記係止環と該係止環から引き出される索条１本分よりも大きく形成した
ことを特徴とする請求項１に記載の展示物吊下げ具。
【発明の詳細な説明】
【技術分野】
【０００１】
本発明は、カーテンレールや天井等から垂設したロープやワイヤ等の索条に吊下げ用のフックを上下動可能に配置し、絵画やパネル等の展示物を任意の高さに吊持できるようにした展示物吊下げ具であって、詳しくは、簡単な構造でフックの高さ調整が容易に行える展示物吊下げ具に関する。
【背景技術】
【０００２】
ミュージアム等の展示場で、絵画や写真パネル等の展示物を展示する場合に、ロープやワイヤ等の索条を用いた展示物吊下げ具が用いられる。
その一例として、ホルダ本体の後方下部に前方上向きに屈曲するフックを形成し、前記ホルダ本体の中心に上下方向へ貫通するチャック組込み孔に固定部材と可動部材とを有するチャックを組込み、該チャックの可動部材は、上部でホルダ本体に被着されるキャップとねじ螺合し、該可動部材の下部ではテーパ部が前記固定部材のテーパ孔に嵌合し、前記ホルダ本体の下部と前記可動部材との間にコイルばねを縮設して該可動部材を常時上方向へ弾発し、該可動部材の中心に上下方向へ貫通する索条挿通孔に索条を挿通し、前記テーパ部の半径方向へ放射状に設けた複数のボール孔にボールを収容し、これら複数のボールの外端を前記テーパ孔の内周面に接触させるとともに、ボールの内端に露出した部分で前記索条挿通孔に挿通した索条を拘束することにより、前記ホルダ本体を所望の高さに固定できるようにし、前記キャップを前記ホルダ本体方向へねじ込むことにより、前記ボールの内端による前記索条の拘束を解除して前記ホルダ本体を任意の高さへ移動できるようにした展示物吊下げ具が知られている（例えば、特許文献１参照）。
【先行技術文献】
【特許文献】
【０００３】
【特許文献１】実開平６−８４９６５号公報
【発明の概要】
【発明が解決しようとする課題】
【０００４】
上記特許文献１の展示物吊下げ具は、ホルダ本体やフック，索条といった基本構成以外に、固定部材や可動部材，キャップ，コイルバネ，ボール，めねじ駒といった様々な部品と組付け工程を要し、さらにチャック組込み孔やテーパ孔，索条挿通孔，ボール孔という幾多の孔加工を要するため、生産性が悪くコスト高なものになっていた。
【０００５】
本発明は、かかる実情に鑑みてなされたもので、その目的とするところは、簡単な構造でフックの高さ調整が容易に行える展示物吊下げ具を安価に提供することにある。
【課題を解決するための手段】
【０００６】
上述の目的を達成するため、本発明の展示物吊下げ具は、ホルダ本体の下部に展示物吊下げ用のフックを連設したホルダと、前記ホルダ本体に上下方向へ貫通して設けた係止孔の内部に係止される係止環と、前記ホルダ本体の係止孔に上方より差し込まれ、さらに前記係止環の内部に上下方向へ貫通して設けた挿通孔に上方より挿通し、該挿通孔から下方へ引き出して前記係止孔の内部を上方へ折り返され、さらに該係止孔から前記ホルダ本体の上方へ引き出される索条とを備えるとともに、前記係止孔を上窄まりの錐形に形成したことを特徴としている。
【０００７】
また、本発明の展示物吊下げ具において、前記係止孔の上部開口を、前記索条２本分の挿通を許容する大きさで形成し、同じく係止孔の下部開口を、前記係止環と該係止環の挿通孔から引き出される索条１本分よりも大きく形成するようにしてもよい。
【０００８】
本発明のホルダと係止環は合成樹脂材料や金属材料によって形成される。ホルダ本体の係止孔形状として円錐形や多角錘形があり、これらのどちらを用いてもよい。このような錘形の係止孔と良好に圧接するために、係止環を球形や樽形，紡錘形あるいはこれに類する形状とすることが適当である。
また本発明の索条は、係止孔の上部開口からホルダ本体の係止孔に差し込まれ、係止孔内部でＵの字を描くように湾曲して係止孔の上部開口からホルダ本体の上方へ引き出されるため、ロープもしくは小さく湾曲させることが可能なワイヤーが適当である。
【０００９】
上記索条は、上側をカーテンレールや天井等に係止されるため、係止環の挿通孔を貫通してホルダ本体の係止孔上部開口からホルダ本体の上方へ引き出される部分は索条の下側となる。この状態において、係止環と該係止環から引き出された索条の下側部分とが上窄まりの錐形に形成した係止孔のテーパ面に圧接してフックの取付高さを保持している。さらに、このフックに絵画やパネル等の展示物を吊り下げると、展示物の荷重がホルダに下方向の力として作用し、係止環と索条の下側部分とがテーパ状の係止孔により強固に圧接してフックの取付高さを確実に保持する。
【００１０】
また、フックの取付高さを変更する場合には、係止環を係止孔からホルダ本体の下方へ引き出し、係止環を索条の上側または下側へ移動して索条の長さを調整したのち、係止環を再度ホルダ本体の係止孔に収容して、係止環と索条の下側部分とが係止孔に圧接することにより、フックの取付高さが変更される。
【００１１】
さらに、ホルダ本体に設けられる係止孔の上部開口を、索条２本分の挿通を許容する大きさとすることにより、係止環が係止孔の上部開口より抜け出ることなく係止孔内部に保持される。同じく係止孔の下部開口を、係止環と該係止環の挿通孔から引き出される索条１本分よりも大きく形成することにより、係止孔内部の係止環をホルダ本体の下方へ引き出して、係止環を索条の上側または下側へ容易に移動させることができる。
【発明の効果】
【００１２】
本発明の展示物吊下げ具によれば、構成部品がホルダと係止環と索条の３点で済むので、従来よりも部品点数と組付け工数並びに加工工数を大幅に削減でき、低価格での提供が可能となる。また、部品構成が極めてシンプルであるので故障しにくく、長期間の使用にもよく堪える。
さらに、ホルダ本体に設けられる係止孔の上部開口を、索条２本分の挿通を許容する大きさとすることにより、係止環が係止孔の上部開口より抜け出ることなく係止孔内部に保持され、同じく係止孔の下部開口を、係止環と該係止環の挿通孔から引き出される索条１本分よりも大きく形成することにより、フックの取付高さを変更する際には、係止孔内部の係止環をホルダ本体の下方へ引き出して、係止環を索条の上側または下側へ容易に移動させることができる。
【図面の簡単な説明】
【００１３】
【図１】本発明の一形態例を示す図３のＩ−Ｉ断面図である。
【図２】本発明の一形態例を示す展示物吊下げ具の正面図である。
【図３】本発明の一形態例を示す展示物吊下げ具の右側面図である。
【図４】本発明の一形態例を示すフックの高さ調整を説明するための正面図である。
【図５】本発明の一形態例に示す展示物吊下げ具を用いて絵画を吊り下げた状態を示す説明図である。
【発明を実施するための形態】
【００１４】
図１〜図５に示す本形態例の展示物吊下げ具１は、カーテンレールや天井（図示せず）等から吊持される索条２と、該索条２の中間部に装着されるホルダ３と、該ホルダ３の係止孔５内部で前記索条２に挿通される係止環４とからなっている。係止環４はホルダ３の高さを調整するための固定具で、この係止具４によってホルダ３を索条２の所望の高さに固定したり、他の高さに移動できるようにしている。
【００１５】
索条２には布製のロープが用いられ、最上部に吊下げ用のループ２ａが設けられるととともに、最下端に握り玉２ｂが固着されている。ホルダ３は、上部のホルダ本体３ａと、その下部に連設されるＪ字状のフック３ｂとを合成樹脂材料もしくは亜鉛ダイカスト等の金属材料によって一体形成したもので、ホルダ本体３ａの内部中央には前述の係止孔５が上下方向に貫通して設けられ、またフック３ｂの内部には、ホルダ３の形成時に上述の係止孔５を一体成形するための加工孔７が上下方向に貫通して設けられている。
【００１６】
係止環４は、相対向する二面を面取りした金属球もしくは合成樹脂球で形成されており、内部中央には索条２と同径の挿通孔６が貫通して設けられている。ホルダ本体３ａの係止孔５は、上面開口５ａが索条２本分の挿通を許容する大きさで、やや傾斜した下部開口５ｂが、係止環４の直径とこの係止環４の挿通孔６から下側へ引き出される索条１本分よりも大きな上窄まりの円錐形に形成されている。
【００１７】
上述の索条２とホルダ３と係止環４とを展示物吊下げ具１として組付けする際には、握り玉２ｂを固着する前の索条２の下端を、ホルダ本体３ａの上面開口５ａより係止孔５の内部へ差し込み、さらに下面開口５ｂよりホルダ本体３ａの下方へ引き出す。つぎに、ホルダ本体３ａの下方へ引き出した索条２の下端を係止環４の挿通孔６の一端より挿通孔６内部へ差し込み、該挿通孔６の他端から引き出した索条２の下端を引き上げて、ホルダ本体３ａの下面開口５ｂより係止孔５の内部へ差し込み、さらに上面開口５ａよりホルダ本体３ａの上方へ引き出す。
【００１８】
ホルダ本体３ａの上方へ引き出した索条２の下端には握り玉２ｂが固着される。またホルダ３に対して索条２の上側及び下側を上方へ引き上げると、係止環４がホルダ本体３ａの係止孔５内部に収容され、このようにして索条２とホルダ３と係止環４とが展示物吊下げ具１として一体に組付けされる。
係止環４は、係止孔５の内部で挿通孔６を上下方向へ向けて位置し、索条２の引き上げによって挿通孔６から引き出された索条２の下側とともに係止孔５のテーパ面の上部小径側に強く圧接して、ホルダ３のフック３ｂを所望の高さに維持する。
【００１９】
図５は、展示物である絵画Ｐを一対の展示物吊下げ具１，１で吊持した状態を示しており、展示物吊下げ具１，１のフック３ｂ，３ｂに絵画Ｐの裏側に設けた吊下げ環８，８を係止することにより、絵画Ｐが所望の高さに吊持される。
図４は、図５に示す絵画Ｐの大小の違いなどによって取り付け高さを変えたりするために、ホルダ３のフック３ｂの高さ調整を行う場合の説明図で、係止環４を係止孔５からホルダ本体３ａの下方へ引き出し、係止環４を索条２の上側または下側へ移動して索条４の長さを調整したのち、係止環４を再度ホルダ本体３ａの係止孔５に収容して、係止環４と索条２の下側部分とが係止孔５のテーパ面に圧接することにより、フック３ｂの取付高さが変更される。
【符号の説明】
【００２０】
１…展示物吊下げ具
２…索条
３…ホルダ
３ａ…ホルダ本体
３ｂ…フック
４…係止環
５…係止孔
５ａ…係止孔５の上面開口
５ｂ…係止孔５の下面開口
６…挿通孔
８…吊下げ環
Ｐ…絵画（本発明の展示物）
【図１】
2011115421.tif 000003
【図２】
2011115421.tif 000004
【図３】
2011115421.tif 000005
【図４】
2011115421.tif 000006
【図５】
2011115421.tif 000007